(57)【要約】【課題】無電極放電灯点灯装置において、点灯回路収納のケースから延設されたケーブルから同ケーブルが接続されているプリント基板に外力が加わって損傷を与えることを防止し、しかもケーブル延設の自由度を高くして器具の設計制約を小さくする。【解決手段】  無電極放電ランプを点灯させる点灯回路が実装されたプリント基板を収納しているケース本体１１とこれを覆うケース蓋１２とから成るケースを備えた無電極放電灯点灯装置において、ケース蓋１２に一体にケース本体側面に沿って伸びて器具に固定されるケース固定部１３を設け、このケース固定部１３に、プリント基板に接続されケース外に延設されたケーブル３を係止させるケーブル止め１４を設けた。【選択図】図４
2005044753.tif 000002
【特許請求の範囲】
【請求項１】
無電極放電ランプを点灯させる点灯回路が実装されたプリント基板と、このプリント基板に接続されケース外に延設されるケーブルと、一面に開口を有する箱状であって前記プリント基板が収納されるケース本体及び、このケース本体の開口面を覆うケース蓋を有するケースと、を備えた無電極放電灯点灯装置において、
前記ケース蓋は、前記ケースの側面に沿って延びて器具に固定されるケース固定部を有し、
このケース固定部に、前記ケース外に延設される前記ケーブルを係止させるケーブル止め具を設けたことを特徴とする無電極放電灯点灯装置。
【請求項２】
前記ケーブルのうち、少なくとも出力用には先端部に中継端子が接続されていることを特徴とする請求項１記載の無電極放電灯点灯装置。
【請求項３】
前記ケーブル止め具は、前記ケース本体の側面と前記ケース固定部との間に前記ケーブルを挟みこむことで、ケーブル止め具とケース固定部を兼用することを特徴とする請求項１又は請求項２記載の無電極放電灯点灯装置。
【請求項４】
前記ケースの角部にスリットを設け、このスリットに前記ケーブルを挿通させたことを特徴とする請求項１乃至請求項３のいずれか記載の無電極放電灯点灯装置。
【請求項５】
前記ケース本体は樹脂で充填されており、
前記ケーブルはキャブタイヤケーブルであって、その内部被覆部が前記充填樹脂で固定されていることを特徴とする請求項１乃至請求項４のいずれか記載の無電極放電灯点灯装置。
【発明の詳細な説明】
【技術分野】
【０００１】
本発明は、無電極放電灯点灯装置に関するものである。
【背景技術】
【０００２】
従来から、無電極放電灯点灯装置等においては、特許文献１に示されるように、点灯装置が配備される器具内に、制御回路用プリント基板が内装されるケースと該ケース外の電源回路部とが配置され、制御回路用プリント基板と電源回路部とはケーブル（コードを含む）により接続される。このケーブルは器具の形態に従い必要に応じて曲げられ、器具設計の自由度を上げているものの、プリント基板にケーブルからの外力による張力が直接加わって、基板を損傷する虞がある。
【０００３】
このような構成であって、ケーブルがケース外に伸設されていることから、ケースを器具に組立て固定する際などに、ケーブルが引っ張られ、ケーブルとプリント基板との接続箇所に強いストレスがかかることがある。そのため、ケーブルがプリント基板から外れるといった問題がある。
【０００４】
一方、この種の無電極放電灯点灯装置における電源等回路が内装されるケースとして、図９に示すようなものが知られている。このケースは、一面に開口を有する箱状であって器具に固定されるケース本体１１と、このケース本体１１の開口面を覆うケース蓋１２とから成り、ケース本体１１内にはプリント基板２０が収納されている。プリント基板２０には、交流電源からの交流電力を入力するための電源端子２３と、交流電源の出力を直流出力に変換する電源回路２１と、この電源回路２１の出力を高周波出力に変換して負荷へ供給する高周波回路２２と、高周波回路２２の高周波電力を高周波電力供給用コイルへ出力するための出力端子２４とが実装されている。ケース本体１１のケース上面側から見てそれぞれ別々の短辺側の両端にケースを器具に固定するためのケース固定部１３を有し、その間に電源端子２３及び出力端子２４が設けられ、それらにケーブルが接続される。
【０００５】
この構成においては、プリント基板２０にケーブルからの張力が加わることはないが、出力端子２４をケースに固定してしまう構造であるため、出力端子２４に出力ケーブルを接続する方向が決められてしまい、器具の設計に制約ができてしまう。
【特許文献１】特開平１０−３０２９８３号公報
【発明の開示】
【発明が解決しようとする課題】
【０００６】
本発明は、上記課題を解消するものであって、点灯回路収納のケースから延設されたケーブルから同ケーブルが接続されているプリント基板に外力が加わって損傷を与えることが防止され、しかもケーブル延出の自由度が高く、器具の設計制約を小さくすることが可能な無電極放電灯点灯装置を提供することを目的とする。
【課題を解決するための手段】
【０００７】
本発明は、無電極放電ランプを点灯させる点灯回路が実装されたプリント基板と、このプリント基板に接続されケース外に延設されるケーブルと、一面に開口を有する箱状であって前記プリント基板が収納されるケース本体及び、このケース本体の開口面を覆うケース蓋を有するケースと、を備えた無電極放電灯点灯装置において、前記ケース蓋は、前記ケースの側面に沿って延びて器具に固定されるケース固定部を有し、このケース固定部に、前記ケース外に延設される前記ケーブルを係止させるケーブル止め具を設けたものである。
【０００８】
前記ケーブルのうち、出力用には先端部に中継端子が接続されたものとすればよい。これにより、器具の設計自由度が上がり、各種の器具形態に対応可能となる。
【０００９】
前記ケーブル止め具は、ケース本体の側面とケース固定部との間にケーブルを挟みこむことで、ケーブル止め具とケース固定部を兼用することができる。
【００１０】
前記ケースの角部にスリットを設け、このスリットにケーブルを挿通させたものとしてもよい。これにより、ケースからのケーブル延出角度を広範囲に設定でき、器具設計の自由度が高まる。
【００１１】
前記ケース本体は樹脂で充填されており、ケーブルはキャブタイヤケーブルであって、その内部被覆部が充填樹脂で固定されているものとしてもよい。これにより、ケーブル延出角度の自由度が上がる。
【発明の効果】
【００１２】
本発明によれば、プリント基板に接続されケースから延設されるケーブルをケースに設けたケーブル止めに保持させるので、プリント基板にケーブルからの外力が加わることがなくなり、信頼性の向上が図れる。また、ケーブルを必要に応じて任意に曲げてもプリント基板に力が加わらないので、器具の設計制約が小さくなる。また、器具への固定用のケース固定部にケーブル止めを設けているので、ケーブル止めの強度を高くすることができる。
【発明を実施するための最良の形態】
【００１３】
図１は本発明が適用される無電極放電灯点灯装置の概略構成を示す。この点灯装置は、無電極放電ランプを点灯させる点灯回路が内装されたケース１と、このケース１にケーブル類を介して接続された無電極放電灯であるランプ２とを備える。ケース１は、ケース本体１１と、それに被せられるケース蓋１２から成り、ケース蓋１２には、点灯装置を内に配備した器具（図示なし）に固定するためのケース固定部１３が、ケース蓋１２の短辺側面の略中央部に一体的に伸設されている。ケーブル（コード）類としては、出力用のケーブル３及び６、中継端子４及び５等を含む。ケース１には、図示しない電源ケーブルが接続される。ケース本体１１内には、点灯回路として、上述従来例と同様に、交流電源の出力を直流出力に変換する電源回路と、この電源回路の出力を高周波出力に変換して負荷へ供給する高周波回路が収納され、樹脂が充填される。この樹脂充填は必ずしも施されなくてもよい。電源ケーブルと出力用のケーブル３は、上述従来例の電源端子と出力端子に代わるものである。
【００１４】
図２、図３は上記構成におけるケーブル３のケース１への固定構成を示している。ケース１の側面中央付近にケーブル３を固定するためのケーブル止め１４が設けられており、このケーブル止め１４にケーブル３の途中を係止させる。これにより、ケーブル３のケース取り出し部からケーブル止め１４までの距離を比較的短くすることができる。ケーブル３の長さは、図３に示すように、ケーブル止め１４まで届く長さ以上で、ケーブル３のケース取り出しのある角の対角付近まで届く長さ以下に設定されればよい。さらに、ケース固定部１３が位置する部分では、ケース固定部１３とケース本体１１との２重構造になる。
【００１５】
このような構成としたことにより、ケース１を器具に固定する際、ケース固定部１３はケース本体１１を挟むような形になり、ケース１をより強く器具に固定することができる。また、ケース固定部１３にケーブル止め１４を設置するので、ケース本体１１に穴を開けるなどの加工の必要がなくなり、樹脂充填の際に樹脂漏れが生じるようなことはなくなる。以下にケース１についての具体的な実施形態を説明する。
【実施例１】
【００１６】
図４は本実施の形態１によるケースの構成を示す。ケース本体１１は一面に開口を有する金属箱状体であり、ケース蓋１２はケース本体１１の開口に被せられる金属体であり、これら両者は、無電極放電ランプを点灯させる点灯回路を含むプリント基板（図示なし）を収納するケースを構成する。ケース本体１１からは、ケース外にランプ駆動の高周波電源出力用のケーブル３が延設される。ケーブル３の一端はプリント基板に接続され、ケーブル３の先端には中継端子４が設けられている。また、電源入力用のケーブル７がプリント基板に接続されている。ケース本体１１内のプリント基板上には樹脂８が充填されている。なお、ケース本体１１内は樹脂８で充填されていなくともよい。
【００１７】
ケース蓋１２は、対向する短辺中央付近に、ケース本体１１の側面に沿って下方に伸びてケースを器具（図示なし）に固定するためのケース固定部１３を一体に有する。ケース固定部１３は、下端部で折り曲げられ、器具への取付けビスが通る切り欠き１３ａを有する。また、このケース固定部１３に、ケース外に延設されるケーブル３を係止させる上述ケーブル止め１４を構成するためのケーブル止め具９が配設される。このケーブル止め具９は、ケース固定部１３に設けられたＴ字型の孔１３ｂに、ケーブル止め具９の下端を係止させ、上端をケース蓋１２と共にケース本体１１にセルフタッピングねじ１５で固定される。セルフタッピングねじ１５は、ケース蓋１２の孔１２ａとケース本体１１の孔１１ａとにねじ込まれる。ケーブル止め具９の下端は、先端が巾広の係止部となっていて、ケース固定部１３のＴ字型の孔１３ｂの巾広部に係止部を挿通した後、孔１３ｂの巾狭部に移動されて停止される。これにより、ケース蓋１２とケース本体１１の固定用のセルフタッピングねじ１５が、ケーブル止め具１３の固定も兼ねていて構造が簡単になる。
【００１８】
ケース本体１１の側面には、ケーブル３，７をケース外に延出するための切り欠き１１ｂ，１１ｃが設けられ、これら切り欠きにケーブルを通した後、ケース蓋１２を被せることで、ケーブルの抜け止めが成される。ケース外に延出させたケーブル３は、ケース固定部１３に固定前のケーブル止め具９の円弧状内側面を通した状態としてから、ケーブル止め具９をケース固定部１３に固定することで、これら両者間に保持される。ケーブル７についても同様の保持構成を採用してもよい。
【００１９】
また、無電極放電灯点灯装置においては、ケースから延出された出力用のケーブル３に接続され、かつランプに高周波電力を供給するためのコイルを備えたカプラと、ケースとをアース線を用いて接続することが多くある。この場合、ノイズ低減のため、カプラから伸びたアース線は、ケーブル３に沿わせてケースＡＣ側のアース端子に接続するのがよい。通常、ケースの形は略長方形であり、入力側と出力側は双方のノイズの影響を受け難くするため、別々の短辺側に設けられる。従って、出力用のケーブルはケースの角部からケース外に延出されるようにすれば、距離的にも、アース線を出力用のケーブルからケース長辺側を沿わして入力側のアース端子に接続することが容易になる。さらに、無電極放電灯点灯装置においては、通常高周波回路にチョークで構成された共振回路を持っており、ノイズの関係から、プリント基板上でチョークからケーブルとプリント基板との接続点までの距離をできるだけ離して配置するのが好ましい。このことからもケーブルとプリント基板との接続点はケース角部に配置されるのが良い。
【００２０】
本実施の形態によれば、無電極放電灯点灯装置で出力用のケーブルをケース角部から延出すると共に、ケース蓋とケース側面に沿って伸びるケース固定部を一体構造にし、ケース固定部にケーブル止めを設けることにより、最小限の部品点数でケーブル出力部から最小距離にケーブル止めを設置できるという効果がある。
【実施例２】
【００２１】
図５は本実施の形態２によるケースの構成を示す。上述の図４と同一の構成については説明を省略する。上述と構成上の相違点は、ケース固定部１３を切り欠いて形成した折り曲げ片１３ｃによりケーブル止め１４を設けている点である。折り曲げ片１３ｃは金属材質のバネ性により、湾曲形状内部にケーブル３を保持する。このような構成にすることにより、部品点数を減らすことができる。なお、図示していないが、ケーブル止め１３ｃの先端に、ケース蓋１２とケース本体１１との固定ねじ挿通孔１２ａを越えて伸びるねじ固定部を設け、図４と同様に、ねじ固定すれば一層強度が向上する。
【実施例３】
【００２２】
図６は本実施の形態３によるケースの構成を示す。上述の図４と同一の構成については説明を省略する。上述と構成上の相違点は、ケース固定部１３自体を樋状に折り曲げた部分１３ｅによりケーブル止め１４と兼用した点である。ケーブル３はケース固定部１３とケース本体１１の側面との間に保持固定される。このような構成にすることにより、部品点数を減らすことができる。
【実施例４】
【００２３】
図７は本実施の形態４によるケースの構成を示す。同図では、ケース蓋は図示を省略している。上述の図４と同一の構成については説明を省略する。上述と構成上の相違点は、調光制御のための信号を伝送する調光線３０を設け、この調光線３０を出力用のケーブル３と対角側の角部から延ばしている点である。このような構成にすることにより、小信号である調光部と高周波部のノイズの干渉を最小限に抑えることができる。
【実施例５】
【００２４】
図８（ａ）（ｂ）に本実施の形態５によるケースの構成を示す。同図では、ケース蓋は図示を省略している。上述の図４と同一の構成については説明を省略する。上述と構成上の相違点は、ケース角部にスリット１１ｄを設け、そこからケーブル３を延出する点である。これにより、ケースからケーブル３を延出させる角度を広範囲に設定でき、器具設計の自由度を広げることができる。本実施の形態において、ケーブル３はキャブタイヤであり、内部被覆部分（電線）３ａを充填樹脂８の外側に露出させる点である。これにより、キャブタイヤ内部被覆部分３ａでケーブル３を曲げることができ、より曲げ半径を小さくすることができる。
【００２５】
本発明は、上記実施の形態の構成に限られることなく、発明の趣旨を変更しない範囲で種々の変形が可能である。
【図面の簡単な説明】
【００２６】
【図１】本発明が適用される無電極放電灯点灯装置の概略構成図。
【図２】同装置のケース平面図。
【図３】同装置のケース平面図。
【図４】本発明の実施の形態１による無電極放電灯点灯装置のケースの分解斜視図。
【図５】本発明の実施の形態２による無電極放電灯点灯装置のケースの分解斜視図。
【図６】本発明の実施の形態３による無電極放電灯点灯装置のケースの分解斜視図。
【図７】本発明の実施の形態４による無電極放電灯点灯装置のケースの分解斜視図。
【図８】本発明の実施の形態５による無電極放電灯点灯装置のケースの分解斜視図。
【図９】従来の無電極放電灯点灯装置のケースの分解斜視図。
【符号の説明】
【００２７】
１    ケース
１１    ケース本体
１１ｄ    ケース角部のスリット
１２    ケース蓋
１３    ケース固定部
１４    ケーブル止め
２    無電極放電灯であるランプ
３    ケーブル
３ａ    内部被覆部分
４    中継端子
８    充填樹脂
９    ケーブル止め具
【図１】
2005044753.tif 000003
【図２】
2005044753.tif 000004
【図３】
2005044753.tif 000005
【図４】
2005044753.tif 000006
【図５】
2005044753.tif 000007
【図６】
2005044753.tif 000008
【図７】
2005044753.tif 000009
【図８】
2005044753.tif 000010
【図９】
2005044753.tif 000011